(57)【要約】【課題】映像記録再生装置において、デジタル放送の複数ビデオＥＳ（マルチビュー）番組を記録して再生させる場合に、記録したストリームの継ぎ目においてシームレスな再生することを目的とする。【解決手段】デジタル放送の複数ビデオＥＳ番組を記録する場合、映像中の全てのビデオＥＳ情報を検出するストリーム情報検出部とユーザによる開始指示のポイントの次に検出したビデオＥＳを各ＧＯＰの先頭から記録するともに、ユーザ終了指示のポイントを含む全てのビデオＥＳを各ＧＯＰの終了まで記録することを実現する映像フィルタリング部を備えた映像記録再生装置を構成し、どのビデオＥＳについても、ＧＯＰ境界毎に記録する。【選択図】図１
2006121565.tif 000002
【特許請求の範囲】
【請求項１】
映像データをファイル形式で記録媒体に格納して管理する映像記録再生装置であって、デジタル放送の複数ビデオＥＳ番組を記録する場合、映像中の全てのビデオＥＳ情報を検出するストリーム情報検出部と、
前記ストリーム情報検出部から取得した前記ビデオＥＳ情報に基づき、ユーザの録画開始指示のポイントを含む全てのビデオＥＳを各ＧＯＰの先頭から記録するとともに、ユーザの録画終了指示のポイントを含む全てのビデオＥＳを各ＧＯＰの終了まで記録する映像フィルタリング部と
を備えた映像記録再生装置。
【請求項２】
映像データをファイル形式で記録媒体に格納して管理する映像記録再生装置であって、デジタル放送の複数ビデオＥＳ番組を記録する場合、映像中の全てのビデオＥＳ情報を検出するストリーム情報検出部と、
前記ストリーム情報検出部から取得した前記ビデオＥＳ情報に基づき、ユーザの録画開始指示のポイントの次に検出した全てのビデオＥＳを各ＧＯＰの先頭から記録するとともに、ユーザの録画終了指示のポイントを含む全てのビデオＥＳを各ＧＯＰの終了まで記録する映像フィルタリング部と
を備えた映像記録再生装置。
【請求項３】
映像データをファイル形式で記録媒体に格納して管理する映像記録再生装置であって、デジタル放送の複数ビデオＥＳ番組を記録する場合、映像中の全てのビデオＥＳ情報を検出するストリーム情報検出部と、
前記ストリーム情報検出部から取得した前記ビデオＥＳ情報に基づき、ユーザの録画開始指示のポイントの次に検出した全てのビデオＥＳを各ＧＯＰの先頭から記録するとともに、全てのビデオＥＳをユーザの録画終了指示のポイントの直前の各ＧＯＰの終了まで記録する映像フィルタリング部と
を備えた映像記録再生装置。
【請求項４】
映像データをファイル形式で記録媒体に格納して管理する映像記録再生装置であって、デジタル放送の複数ビデオＥＳ番組を記録する場合、映像中の全てのビデオＥＳ情報を検出するストリーム情報検出部と、
前記ストリーム情報検出部から取得した前記ビデオＥＳ情報に基づき、ユーザの録画開始指示のポイントを含む全てのビデオＥＳを各ＧＯＰの先頭から記録するとともに、全てのビデオＥＳをユーザの録画終了指示のポイントの直前の各ＧＯＰの終了まで記録する映像フィルタリング部と
を備えた映像記録再生装置。
【請求項５】
映像データをファイル形式で記録媒体に格納して管理する映像記録再生装置において映像を記録する方法であって、
デジタル放送の複数ビデオＥＳ番組を記録する場合、映像中の全てのビデオＥＳ情報を検出するストリーム情報検出ステップと、
前記ビデオＥＳ情報に基づき、ユーザの録画開始指示のポイントを含む全てのビデオＥＳを各ＧＯＰの先頭から記録する第一映像フィルタリングステップと、
ユーザの録画終了指示のポイントを含む全てのビデオＥＳを各ＧＯＰの終了まで記録する第二映像フィルタリングステップと
を備えた映像記録再生方法。
【請求項６】
映像データをファイル形式で記録媒体に格納して管理する映像記録再生装置において映像を記録する方法であって、
デジタル放送の複数ビデオＥＳ番組を記録する場合、映像中の全てのビデオＥＳ情報を検出するストリーム情報検出ステップと、
前記ビデオＥＳ情報に基づき、ユーザの録画開始指示のポイントの次に検出した全てのビデオＥＳを各ＧＯＰの先頭から記録する第一映像フィルタリングステップと、
前記ビデオＥＳ情報に基づき、ユーザの録画終了指示のポイントを含む全てのビデオＥＳを各ＧＯＰの終了まで記録することを実現する第二映像フィルタリングステップと
を備えた映像記録再生方法。
【請求項７】
映像データをファイル形式で記録媒体に格納して管理する映像記録再生装置において映像を記録する方法であって、
デジタル放送の複数ビデオＥＳ番組を記録する場合、映像中の全てのビデオＥＳ情報を検出するストリーム情報検出ステップと、
前記ビデオＥＳ情報に基づき、ユーザの録画開始指示のポイントの次に検出した全てのビデオＥＳを各ＧＯＰの先頭から記録する第一映像フィルタリングステップと、
前記ビデオＥＳ情報に基づき、全てのビデオＥＳをユーザの録画終了指示のポイントの直前の各ＧＯＰの終了まで記録する第二映像フィルタリングステップと
を備えた映像記録再生方法。
【請求項８】
映像データをファイル形式で記録媒体に格納して管理する映像記録再生装置において映像を記録する方法であって、
デジタル放送の複数ビデオＥＳ番組を記録する場合、映像中の全てのビデオＥＳ情報を検出するストリーム情報検出ステップと、
前記ビデオＥＳ情報に基づき、ユーザの録画開始指示のポイントを含むビデオＥＳを各ＧＯＰの先頭から記録する第一映像フィルタリングステップと、
前記ビデオＥＳ情報に基づき、全てのビデオＥＳをユーザの録画終了指示のポイントの直前の各ＧＯＰの終了まで記録する第二映像フィルタリングステップと
を備えた映像記録再生方法。
【請求項９】
コンピュータにおいてデジタル放送の複数ビデオＥＳ番組を記録する場合、映像中の全てのビデオＥＳ情報を検出するストリーム情報検出手順と、
前記ビデオＥＳ情報に基づき、ユーザの録画開始指示のポイントを含む全てのビデオＥＳを各ＧＯＰの先頭から記録する第一映像フィルタリング手順と、
前記ビデオＥＳ情報に基づき、ユーザの録画終了指示のポイントを含む全てのビデオＥＳを各ＧＯＰの終了まで記録する第二映像フィルタリング手順と
を含むことを特徴とする映像記録再生プログラム。
【請求項１０】
コンピュータにおいてデジタル放送の複数ビデオＥＳ番組を記録する場合、映像中の全てのビデオＥＳ情報を検出するストリーム情報検出手順と、
前記ビデオＥＳ情報に基づき、ユーザの録画開始指示のポイントの次に検出した全てのビデオＥＳを各ＧＯＰの先頭から記録することを実現する第一映像フィルタリング手順と、
前記ビデオＥＳ情報に基づき、ユーザの録画終了指示のポイントを含む全てのビデオＥＳを各ＧＯＰの終了まで記録する第二映像フィルタリング手順と
を含むことを特徴とする映像記録再生プログラム。
【請求項１１】
コンピュータにおいてデジタル放送の複数ビデオＥＳ番組を記録する場合、映像中の全てのビデオＥＳ情報を検出するストリーム情報検出手順と、
前記ビデオＥＳ情報に基づき、ユーザの録画開始指示のポイントの次に検出した全てのビデオＥＳを各ＧＯＰの先頭から記録する第一映像フィルタリング手順と、
前記ビデオＥＳ情報に基づき、全てのビデオＥＳをユーザの録画終了指示の直前の各ＧＯＰの終了まで記録する第二映像フィルタリング手順と
を含むことを特徴とする映像記録再生プログラム。
【請求項１２】
コンピュータにおいてデジタル放送の複数ビデオＥＳ番組を記録する場合、映像中の全てのビデオＥＳ情報を検出するストリーム情報検出手順と、
前記ビデオＥＳ情報に基づき、ユーザの録画開始指示のポイントを含む全てのビデオＥＳをＧＯＰの先頭から記録する第一映像フィルタリング手順と、
前記ビデオＥＳ情報に基づき、全てのビデオＥＳをユーザの録画終了指示のポイントの直前の各ＧＯＰの終了まで記録する第二映像フィルタリング手順と
を含むことを特徴とする映像記録再生プログラム。
【発明の詳細な説明】
【技術分野】
【０００１】
本発明は、デジタル放送の複数ビデオＥＳ（マルチビュー番組）を記録して再生する際に、録画したストリームとストリームの継ぎ目部分を再生する場合においてシームレスな再生を実現することが可能な映像記録再生装置、映像記録再生方法、映像記録再生プログラムに関するものである。
【背景技術】
【０００２】
従来の映像記録再生装置においてデジタル放送の複数ビデオＥＳ（マルチビュー番組）を記録する方法を図１０ないし図１２に示す。
【０００３】
図１０は、従来の映像記録再生装置の構成を示す概略ブロック図である。ユーザＩ／Ｆ処理部１１は、ユーザの記録指示、選局指示等を受付け、選局部１６に選局指示を通知し、ストリームパーシャル化部１７、ストリーム情報管理部１２、ストリーム情報記録部１３およびストリーム記録部１９に記録指示を通知する。
【０００４】
デジタルチューナー部１４には、デジタル放送信号が入力される。このデジタル放送信号はＭＰＥＧ２方式で符号化されている。ＭＰＥＧ２方式は複数の映像、音声およびデータの時分割多重を容易にするために、パケット単位で伝送データを伝送するようになっている。１パケットは同一種類のデータによって構成し、各パケットはデータの種類を示すＰＩＤ（ｐａｃｋｅｔ  ｉｄｅｎｔｉｆｉｃａｔｉｏｎ）により識別できる。ＭＰＥＧ２では１８８バイト長のトランスポートパケット（ＴＳパケット）を伝送単位とするトランスポートストリームによって信号を伝送する。デジタル放送信号は、トランスポートストリームを変調することにより生成されたものである。デジタルチューナー部１４は、デジタル放送信号の復調及び誤り訂正を行い、トランスポートストリームを復元し、選局部１６に送出する。
【０００５】
選局部１６は、デジタルチューナー部１４よりトランスポートストリームを取得するとともに、ユーザＩ／Ｆ処理部１１から選局指示を受信し、指定された局のトランスポートストリームを抽出し、ストリームパーシャル化部１７に送出する。ストリームパーシャル化部１７は、受信したストリームを、ＡＲＩＢ（社団法人電波産業会）所定の映像フォーマットに変換し、ストリーム情報検出部１８に送出する。一方、デコード部１５は、選局部１６より、トランスポートストリームをデコードして、映像信号として出力する。出力先は、通常テレビジョンモニタが接続される。
【０００６】
ストリーム情報検出部１８は、トランスポートストリームからＰＭＴ（Ｐｒｏｇｒａｍ  Ｍａｐ  Ｔａｂｌｅ）を取得し、ＰＭＴをストリーム情報管理部１２に送信する。ストリーム情報管理部１２は、ＰＭＴより、記録対象となる番組のＰＩＤを取得し、ストリーム情報検出部１８に通知する。
【０００７】
１ストリーム中には最大４種類のビデオＥＳ（Ｅｌｅｍｅｎｔａｒｙ  Ｓｔｒｅａｍ）の映像を挿入することが可能である。ストリーム情報検出部１８は、記録対象となる番組のＰＩＤに基づき、デフォルトビデオＥＳのＧＯＰの開始場所を検出し、受信開始からのＴＳパケット番号により通知する。ＧＯＰの開始場所は、各ＧＯＰの先頭に含まれているＧＯＰスタートコードにより検出することができる。このデフォルトＥＳのＧＯＰの開始場所からのＴＳパケット番号によりストリーム記録部１９はストリームを記録媒体上に記録する。デフォルトＥＳ以外のＥＳについてもデフォルトＥＳにおけるＧＯＰの開始場所以降のＴＳパケットが記録される。このようなＧＯＰの開始場所からのストリームを記録する方法については、特許文献１に記載されている。
【０００８】
図１１は、記録開始ポイントとビデオＥＳの関係を図示したものである。図１１には、ビデオＥＳが、ＥＳ−Ａ、ＥＳ−Ｂ、およびＥＳ−Ｃの３種類であり、ＥＳ−ＡがデフォルトＥＳである場合が図示されている。図１１に示されているように、ＥＳ−Ａについては、ＧＯＰ先頭から記録されるが、ＥＳ−Ｂ、ＥＳ−ＣについてはＧＯＰの途中から記録される。
【０００９】
また、ユーザＩ／Ｆ処理部１１からの記録終了指示をストリーム情報検出部１８が受けることにより、ストリーム情報検出部１８はデフォルトＥＳにおけるＧＯＰの開始場所の検出をその次のＧＯＰ開始場所を検出したところで終了する。それに伴いストリーム記録部１９はビデオＥＳを記録媒体上に、検出したＧＯＰまで記録する。一方、ストリーム情報記録部１３は、ストリーム情報管理部１２より、記録対象となった番組のＰＩＤなどのストリーム情報を取得し、記録媒体に書き込む処理を行う。
【００１０】
図１２は、このような記録終了ポイントと映像ストリームの関係を図示したものである。
【００１１】
図１２には、図１１と同様に、ビデオＥＳが、ＥＳ−Ａ、ＥＳ−Ｂ、およびＥＳ−Ｃの３種類であり、ＥＳ−Ａがデフォルトである場合が図示されている。図１２に示されているように、ＥＳ−Ａについては、ＧＯＰの終端まで記録されるが、ＥＳ−Ｂ、ＥＳ−Ｃについては、ＧＯＰの途中まで記録される。
【特許文献１】特開２００１−３１３９０４号公報
【発明の開示】
【発明が解決しようとする課題】
【００１２】
しかしながら、前記従来の構成では、デジタル放送の複数ビデオＥＳ（マルチビュー番組）を記録した場合は、デフォルトＥＳ以外のビデオＥＳではＧＯＰ境界で記録されていないので、デフォルトＥＳ以外のビデオＥＳで再生させた場合、記録したストリームとストリーム間においてシームレスな再生を実現することが出来ないという課題を有していた。
【００１３】
本発明は、前記従来の課題を解決するもので、シームレス再生を実現する映像記録再生装置を提供することを目的とする。
【課題を解決するための手段】
【００１４】
前記従来の課題を解決するために、本発明のシームレス再生を実現する映像記録再生装置は、映像データをファイル形式で記録媒体に格納して管理する映像記録再生装置であって、デジタル放送の複数ビデオＥＳ番組を記録する場合、映像中の全てのビデオＥＳ情報を検出するストリーム情報検出部と、ビデオＥＳ情報に基づきユーザの開始指示のポイントを含む全てのビデオＥＳを各ＧＯＰの先頭から記録するとともに、ユーザの録画終了指示のポイントを含む全てのビデオＥＳを各ＧＯＰの終了まで記録する映像フィルタリング部を有している。
【００１５】
本構成によって、映像記録において複数ビデオＥＳ（マルチビュー番組）でもシームレス再生を実現することができる。
【発明の効果】
【００１６】
本発明のシームレス再生を実現する映像記録再生装置によれば、デジタル放送の複数ビデオＥＳ（マルチビュー番組）を全てＧＯＰ単位に記録媒体に記録するために再生させた場合でも記録したストリームとストリームの継ぎ目がシームレスな再生を実現することができる。
【発明を実施するための最良の形態】
【００１７】
以下本発明の実施の形態について、図面を参照しながら説明する。
【００１８】
（実施の形態１）
図１は、本発明の映像記録再生装置の構成を示す概略ブロック図である。ユーザＩ／Ｆ処理部１、デジタルチューナー部４、選局部６、デコード部５、ストリームパーシャル化部７、ストリーム情報検出部８、ストリーム記録部９、ストリーム情報記録部３は、従来の映像記録再生装置と同様な機能を持つ。すなわち、デジタルチューナー部４には、ＭＰＥＧ２方式で符号化されたデジタル放送信号が入力され、復調されてトランスポートストリームとして、選局部６に出力される。選局部６は、ユーザＩ／Ｆ処理部１から受信した選局指示に基づき、指定された局のパケットを抽出し、トランスポートストリームとしてストリームパーシャル化部７に送出する。ストリームパーシャル化部７は、トランスポートストリーム中から映像パケットを抽出し、ＡＲＩＢ所定の映像フォーマットに変換したものをストリームとしてストリーム情報検出部８に送出する。
【００１９】
ストリーム情報検出部８は、ストリームからＰＭＴ（Ｐｒｏｇｒａｍ  Ｍａｐ  Ｔａｂｌｅ）を取得し、ＰＭＴをストリーム情報管理部２に送信する。ストリーム情報管理部２は、ＰＭＴから現在記録しようとしている番組のＰＩＤを取得し、ストリーム情報検出部８に通知する。ストリーム情報検出部８は、ストリームから、前記通知されたＰＩＤを持つパケットを抽出し、ストリームとしてストリーム記録部９に送出する機能に加え、記録開始時および記録終了時には、すべてのビデオＥＳにつき、完全なＧＯＰのみ記録するのに必要なビデオＥＳ情報を検出してストリーム記録部９を経て、映像フィルタリング部１０に通知する機能を持つ。
【００２０】
ストリーム記録部９は、ユーザＩ／Ｆ処理部１から、記録指示を受けて、記録対象となるストリームおよびビデオＥＳ情報を、ストリーム情報検出部８から取得し、ストリーム映像フィルタリング部１０に送出する。映像フィルタリング部１０は、記録媒体へストリームの書き込みを行うものであるが、記録開始時には、ユーザによる開始指示のポイントの次に検出したビデオＥＳを各ＧＯＰの先頭から記録するか、またはユーザの開始指示のポイントを含む全てのビデオＥＳを各ＧＯＰの先頭から記録する。
【００２１】
一方、記録終了時には、ユーザの録画終了指示のポイントを含む全てのビデオＥＳを各ＧＯＰの終了まで記録するか、または、録画終了指示によるポイントの直前のＧＯＰの終了まで記録する。ストリーム情報記録部３は、記録対象となった番組のＰＩＤなどのストリーム情報をストリーム情報管理部２から取得し、記録媒体への書き込みを行う。
【００２２】
なお、ストリーム情報検出部８と映像フィルタリング部１０の機能については、後で詳細に説明する。
【００２３】
図２は、本実施の形態における記録開始ポイントとビデオＥＳとの関係を示す第１の図である。図２には、１ストリーム中に３個のビデオＥＳ（ＥＳ−Ａ、ＥＳ−ＢおよびＥＳ−Ｃ）が含まれている場合が示されている（以下、図５まで同様）。図２は、すべてのビデオＥＳを記録開始ポイントの直後に検出された各ＧＯＰの先頭から記録する方法を図示したものである。図示されているように、開始指示のポイントの次に検出した全てのビデオＥＳについてＧＯＰの先頭から記録される。
【００２４】
図３は、本実施の形態における記録開始ポイントとビデオＥＳとの関係を示す第２の図である。図３は、開始指示のポイントを含む全てのビデオＥＳを各ＧＯＰの先頭から記録する方法を図示したものである。
【００２５】
図４は、本実施の形態における記録終了ポイントとビデオＥＳとの関係を示す第１の図である。図４には、ユーザの録画終了指示のポイントを含む全てのビデオＥＳを各ＧＯＰの終了まで記録する方法が図示されている。
【００２６】
図５は、本実施の形態における記録終了ポイントとビデオＥＳとの関係を示す第２の図である。全てのビデオＥＳをユーザによる終了指示のポイントの直前に位置するＧＯＰの終了まで記録する方法が図示されている。
【００２７】
図６は、本実施の形態におけるストリーム情報管理部２の記録開始時の動作を示すフロー図であり、ステップＳ６０１からステップＳ６０３で構成されている。まず、ステップＳ６０１において、ストリーム情報管理部２がユーザＩ／Ｆ処理部１から録画開始（記録開始）指示を受信すると、次のステップＳ６０２に進む。ステップＳ６０２では、ストリーム情報検出部８はストリーム情報管理部２から、記録対象となった番組のＶｉｄｅｏ  ＰＩＤ数及びＶｉｄｅｏ  ＰＩＤ値を取得する。たとえば、当該番組が３種類のビデオＥＳ（ＥＳ−Ａ、ＥＳ−Ｂ、ＥＳ−Ｃ）からなるマルチビュー番組であるとすると、Ｖｉｄｅｏ  ＰＩＤ数が３であり、Ｖｉｄｅｏ  ＰＩＤ値は、たとえば、１０１、１０２、１０３というように３個の数値からなる。Ｖｉｄｅｏ  ＰＩＤ値が特定されると、番組を構成するビデオＥＳのパケットを検出することができる。そして、次のステップＳ６０３では、取得されたＶｉｄｅｏ  ＰＩＤ数およびＶｉｄｅｏ  ＰＩＤ値が、ストリーム情報検出部８に設定され、番組を構成するビデオＥＳの検出に用いられる。
【００２８】
図７は、ストリーム情報検出部８が、記録開始時に、ビデオＥＳ情報すなわち記録すべきＶｉｄｅｏ  ＰＩＤとビデオＥＳを検出し、映像フィルタリング部１０に通知する処理を示すフロー図であり、ステップＳ７０１からステップＳ７０９までで構成されている。
【００２９】
図８は、ストリーム情報検出部８が、記録終了時に、ビデオＥＳ情報すなわち記録すべきＶｉｄｅｏ  ＰＩＤとビデオＥＳを検出し、映像フィルタリング部に通知する処理を示すフロー図であり、ステップＳ８０１からステップＳ８１１までで構成されている。
【００３０】
図９は、映像フィルタリング部１０が受信したＴＳパケットをチェックして、記録すべきＴＳパケットのみを記録媒体に記録する処理を示すフロー図であり、ステップＳ９０１およびステップＳ９０２から構成されている。
【００３１】
以上のように、構成された映像記録再生装置について、以下にその動作を説明する。
【００３２】
まず、記録開始時の処理について、主として図７を用いて説明する。ストリーム情報検出部８はＶｉｄｅｏ  ＰＩＤ数およびＶｉｄｅｏ  ＰＩＤ値の設定後、Ｖｉｄｅｏ  ＰＩＤの検出を開始する（ステップＳ７０１）。ステップＳ７０１の処理は、ＧＯＰの先頭を含むパケットのＶｉｄｅｏ  ＰＩＤを検出するものであり、録画開始後１つ目のＶｉｄｅｏ  ＰＩＤが検出されると、ステップＳ７０２に進む。
【００３３】
ステップＳ７０２では、１つ目のＶｉｄｅｏ  ＰＩＤと、当該Ｖｉｄｅｏ  ＰＩＤを検出したＴＳパケットの番号（１つ目のＴＳパケット番号）を退避する。録画開始後ＧＯＰの先頭を含む２つ目のＶｉｄｅｏ  ＰＩＤが検出されると、ステップＳ７０３に進む。ステップＳ７０３においては、２つ目のＶｉｄｅｏ  ＰＩＤと当該Ｖｉｄｅｏ  ＰＩＤを検出したＴＳパケットの番号（２つ目のＴＳパケット番号）を退避する。そして次にステップＳ７０４において、１つ目のＴＳパケット番号から２つ目のＴＳパケット番号までのＴＳパケットからなるデータと１つ目のＶｉｄｅｏ  ＰＩＤを映像フィルタリング部１０に送信する。
【００３４】
映像フィルタリング部１０は、ステップＳ７０４の送信を受けてＴＳパケットを受信すると、Ｖｉｄｅｏ  ＴＳパケットの場合、Ｖｉｄｅｏ  ＰＩＤをチェックし、記録対象として通知されたＶｉｄｅｏ  ＰＩＤを持つパケットか否かをチェックし（図９におけるステップＳ９０１）、記録対象のＶｉｄｅｏ  ＰＩＤを持つＴＳパケットであれば、ステップＳ９０２に進み、当該ＴＳパケット（１８８バイト）を記録媒体に書き込む処理を行う。１つ目のＶｉｄｅｏ  ＰＩＤが、ＥＳ−Ａに対応する１０１であったとすると、１０１のＶｉｄｅｏ  ＰＩＤを持つＥＳ−ＡのＴＳパケットのみが順次記録され、ＥＳ−ＢのＴＳパケットおよびＥＳ−Ｃのパケットは記録されない。したがって、図２のＧＯＰ１−２の開始からＧＯＰ２−２の終了までは、ＥＳ−Ａのみが記録され、ＥＳ−ＢおよびＥＳ−Ｃは記録されない。その結果、ＥＳ−Ａの完全なＧＯＰのみが記録され、ＥＳ−ＢおよびＥＳ−Ｃの不完全なＧＯＰは記録されない。
【００３５】
さらに、録画開始後ＧＯＰの先頭を含む３つ目のＶｉｄｅｏ  ＰＩＤが検出された場合は、ステップＳ７０５に進む。ステップＳ７０５では、３つ目のＶｉｄｅｏ  ＰＩＤと当該Ｖｉｄｅｏ  ＰＩＤを検出したＴＳパケットのＴＳパケット番号（３つ目のＴＳパケット番号）を退避する。そして次にステップＳ７０６において、２つ目のＴＳパケット番号から３つ目のＴＳパケット番号までのＴＳパケットと１つ目及び２つ目のＶｉｄｅｏ  ＰＩＤを映像フィルタリング部１０に送信する。２つ目のＶｉｄｅｏ  ＰＩＤが、ＥＳ−Ｂに対応する１０２であったとすると、１０１と１０２のＶｉｄｅｏ  ＰＩＤと２つ目のＶｉｄｅｏ  ＰＩＤを検出したＴＳパケットから３つ目のＶｉｄｅｏ  ＰＩＤを検出したＴＳパケットまでのＴＳパケットからなるデータを映像フィルタリング部１０に送信する。映像フィルタリング部１０は、これらを、ストリーム記録部９経由で受信すると図９のフロー図に示す処理を行う。今回は、受信した記録すべきＴＳパケットのＶｉｄｅｏ  ＰＩＤは、１０１と１０２であるので、１０１と１０２のＶｉｄｅｏ  ＰＩＤを持つＴＳパケットのみが記録媒体に記録される。その結果、ＥＳ−ＡとＥＳ−Ｂの完全なＧＯＰのみが記録され、ＥＳ−Ｃの不完全なＧＯＰは記録されない。
【００３６】
その後、録画開始以降３つ目以降のＶｉｄｅｏ  ＰＩＤが検出されるとステップＳ７０７に進む。ステップＳ７０７では、検出したＶｉｄｅｏ  ＰＩＤと当該Ｖｉｄｅｏ  ＰＩＤを持つＴＳパケット番号を退避する。そして、次のステップＳ７０８では、検出した１つ前のＴＳパケット番号から、今回検出したＴＳパケット番号までのＴＳパケットからなるデータと全てのＶｉｄｅｏ  ＰＩＤを映像フィルタリング部１０に通知する。その結果、ＥＳ−ＣのＧＯＰ３−３の先頭以降は、ＥＳ−Ａ、ＥＳ−Ｂに加え、ＥＳ−ＣのＴＳパケットが記録される。以上のように本実施の形態によると、図２に示すように記録開始ポイント後、完全なＧＯＰのみが記録される。
【００３７】
以上、記録開始ポイントの次に検出したＧＯＰの先頭からすべてのＥＳを記録する方法を説明したが、記録開始のポイントを含む全てのＥＳを各ＧＯＰの先頭から記録する方法は、以下のようにすれば実現できる。つまり、視聴している番組のストリームＴＳパケットをいったん所定の時間分（たとえば数秒分）だけストリーム情報検出部８に記憶しておき、記録開始の指示を受けた時点で、図４の処理開始ポイントから、上記の処理を行えばよい。予約録画の場合は、ストリームパーシャル化部７、ストリーム情報検出部８、ストリーム記録部９、映像フィルタリング部１０を起動しておき、処理開始ポイントの数秒前のＴＳパケットから上記の処理を行えばよい。そうすると、図３に示す例では、ＥＳ−Ｂについては、ＧＯＰ２−２の先頭から記録され、ＥＳ−ＣについてはＧＯＰ３−２の先頭から記録され、ＥＳ−ＡについてはＧＯＰ１−２の先頭から記録される。
【００３８】
次に、図８に基づいて、記録終了時の処理について説明する。映像フィルタリング部１０は、記録終了指示を受けると、記録終了時のＶｉｄｅｏ  ＰＩＤ検出が開始する。（ステップＳ８０１）そして、ＧＯＰ終端を含む１つ目のＴＳパケットのＶｉｄｅｏ  ＰＩＤが検出されると（その次のＧＯＰ先頭により検出することができる）ステップＳ８０２に進み、一つ目のＶｉｄｅｏ  ＰＩＤと当該Ｖｉｄｅｏ  ＰＩＤが検出されたＴＳパケットの番号（１つ目のＴＳパケット番号）を退避する。図４に示すように、記録終了ポイントの後に、まずＥＳ−ＡのＧＯＰ終端が位置しているとすると、ＥＳ−ＡのＶｉｄｅｏ  ＰＩＤである１０１が記録される。
【００３９】
そして、次のステップＳ８０３において、録画終了指示後１つ目のＴＳパケット番号までのＴＳパケットからなるデータと全てのＶｉｄｅｏ  ＰＩＤが映像フィルタリング部１０に送信される。次の、ステップＳ８０４では、ストリーム情報検出部１０から一つ目のＶｉｄｅｏ  ＰＩＤ設定が削除される。ステップＳ８０３の送信を受け、映像フィルタリング部１０は、録画終了指示後１つ目のＶｉｄｅｏ  ＰＩＤが検出されたＴＳパケット番号までのＴＳパケットについては、すべてのＥＳのＴＳパケットが記録される。つまり、図４に示すＧＯＰ１−（Ｘ−１）の終端の位置までは、ＥＳ−Ａ、ＥＳ−Ｂ、およびＥＳ−ＣのＴＳパケットが記録される。そして、録画終了指示後、ＧＯＰ終端を含む２つ目のＶｉｄｅｏ  ＰＩＤが検出されると、ステップＳ８０５に進み、当該Ｖｉｄｅｏ  ＰＩＤとそれが検出されたＴＳパケットのＴＳパケット番号（２つ目のＴＳパケット番号）を退避する。図４に示すＥＳの場合は、記録終了ポイント後、ＧＯＰ１−（Ｘ−１）の終端の次には、ＥＳ−ＢのＧＯＰ終端（ＧＯＰ２−Ｙ）が位置しているので、ＥＳ−ＢのＶｉｄｅｏ  ＰＩＤである１０２が検出される。
【００４０】
次のステップＳ８０６では、録画終了指示後、１つ目のＴＳパケット番号から２つ目のＴＳパケット番号までのＴＳパケットからなるデータと１つ目以外のＶｉｄｅｏ  ＰＩＤ（図４に示す例では、ＥＳ−Ｂに対応する１０２とＥＳ−Ｃに対応する１０３）が、映像フィルタリング部１０に送信される。そして、次のステップＳ８０７では、ストリーム情報検出部１０から２つ目のＶｉｄｅｏ  ＰＩＤ設定（図４に示す例では、ＥＳ−Ｂに対応する１０２）が解除される。ステップＳ８０６の送信を受けて、映像フィルタリング部１０は、１つ目のＶｉｄｅｏ  ＰＩＤが検出されたＥＳ−Ａを、もはや記録せず、ＥＳ−ＢとＥＳ−Ｃのみを記録する。つまり、ＧＯＰの終端まで記録を終ったＥＳ−Ａは、記録されず、ＧＯＰの途中まで記録されているＥＳ−ＢとＥＳ−Ｃは記録されるのである。
【００４１】
そして、録画指示終了後、ＧＯＰ終端を含む３つ目のＶｉｄｅｏ  ＰＩＤが検出されると、ステップＳ８０８に進み３つ目のＶｉｄｅｏ  ＰＩＤ（図４に示す例では、ＥＳ−Ｃに対応する１０３）と当該Ｖｉｄｅｏ  ＰＩＤ  が検出されたＴＳパケット番号（３つ目のＴＳパケット番号）が退避される。
【００４２】
次の、ステップＳ８０９では、録画終了指示後、２つ目に検出されたＶｉｄｅｏ  ＰＩＤに対応するＴＳパケット番号から３つ目に検出されたＶｉｄｅｏ  ＰＩＤに対応するＴＳパケットまでのＴＳパケットと１つ目、２つ目以外のＶｉｄｅｏ  ＰＩＤ（図４に示す例では、ＥＳ−Ｃに対応する１０３）が、映像フィルタリング部１０に送信される。そして、ステップＳ８１０では、ストリーム情報検出部８から、３つ目のＶｉｄｅｏ  ＰＩＤが削除される。以上の送信を受けて、１つ目、２つ目以外のＶｉｄｅｏ  ＰＩＤを持つＴＳパケットのみが、記録媒体に書き込まれる。その結果、ＥＳ−Ｃのみが記録媒体に書き込まれる。
【００４３】
上記の処理の結果、図４に示すようにＥＳ−Ａについては、ＧＯＰ−（Ｘ−１）の終端までが記録され、ＥＳ−Ｂについては、ＧＯＰ２−Ｙの終端まで記録され、ＥＳ−Ｃについては、ＧＯＰ３−Ｚの終端までが記録される。つまり、ＥＳ−Ａ、ＥＳ−Ｂ、ＥＳ−Ｃすべてについて、ＧＯＰの終端まで記録することが可能となる。
【００４４】
以上、ユーザの録画終了指示のポイントを含む全てのビデオＥＳを各ＧＯＰの終了まで記録する方法について説明したが、全てのビデオＥＳをユーザによる終了指示のポイントの直前に位置するＧＯＰの終了まで記録する方法についても同様に実施可能である。つまり、いったんＴＳパケットを一定時間（たとえば数秒間）分ストリーム情報検出部８に記憶しておき、記録終了指示があれば、一定時間分遡って上記の処理を行えばよい。そうすれば、図５に示すように、ＥＳ−Ａについては、ＧＯＰ−１（Ｘ−１）の終端まで記録され、ＥＳ−ＢについてはＧＯＰ−２（Ｙ−１）まで記録され、ＥＳ−Ｃについては、ＧＯＰ−（Ｚ−１）まで記録される結果となる。
【００４５】
以上のように、本実施の形態においては、すべてのビデオＥＳについて、ＧＯＰ境界毎の記録が可能となる。その結果、複数ビデオＥＳ番組のストリームを再生する場合においても、通常再生と変わらないシームレスな再生を実現することができる。以上、記録対象となる番組が３種類のビデオＥＳ（ＥＳ−Ａ、ＥＳ−Ｂ、ＥＳ−Ｃ）からなる場合を説明したが、４種類のビデオＥＳから成る場合であっても、２種類のビデオＥＳからなる場合であっても同様の考え方で処理できるのはもちろんである。４種類のビデオＥＳからなる場合は、録画開始時には、録画開始後４つ目のＶｉｄｅｏ  ＰＩＤが検出された場合に、図７におけるＳ７０５及びＳ７０６に準じた処理を行い、４つ目以降のＶｉｄｅｏ  ＰＩＤが検出されたときに、ステップＳ７０７およびステップＳ７０８に準じた処理を行えばよい。録画終了時には、４つ目のＶｉｄｅｏ  ＰＩＤが検出されたときに、ステップＳ８０８からステップＳ８１０に準じた処理を行えばよい。
【００４６】
一方、２種類のビデオＥＳからなる場合は、記録開始時には、ステップＳ７０５およびステップＳ７０６の処理は行わず、２つ目以降のＶｉｄｅｏ  ＰＩＤが検出されたときにステップＳ７０７およびステップＳ７０８の処理を行い、記録終了時には、ステップＳ８０８からステップＳ８１０までの処理を行わないようにすればよい。
【００４７】
また、以上は映像ストリームの処理に関して説明したが、音声ストリームについても上記と同様に処理すればよい。すなわち、音声のＴＳパケットのＰＩＤを調べれば、記録すべきビデオＥＳに対応する音声ストリームのパケットか否かは分かるので、記録すべきビデオＥＳに対応する音声ストリームのパケットのみ記録すればよい。
【００４８】
また、通常の記録開始・記録終了だけではなく、いわゆるポーズ／ポーズ解除（ユーザの操作により録画をいったん休止し、その後再開すること）についても、ポーズ時に記録終了と同様な処理を行い、ポーズ解除時に記録開始と同様な処理を行えば、シームレスな再生を実現することができる。
【００４９】
なお、本発明は、コンピュータとプログラムで実施されることがあり、そのプログラムは記録媒体に記録されることがある。
【産業上の利用可能性】
【００５０】
本発明にかかる映像記録再生装置は、デジタル放送番組に含まれる複数ビデオＥＳすべてについて、シームレスな再生が可能であり、デジタル放送の映像記録再生装置等として有用である。
【図面の簡単な説明】
【００５１】
【図１】本発明の実施の形態における映像記録再生装置の構成を示す機能ブロック図
【図２】本発明の実施の形態における記録開始ポイントとビデオＥＳの関係を示す第１の説明図
【図３】本発明の実施の形態における記録開始ポイントとビデオＥＳの関係を示す第２の説明図
【図４】本発明の実施の形態における記録終了ポイントとビデオＥＳの関係を示す第１の説明図
【図５】本発明の実施の形態における記録終了ポイントとビデオＥＳの関係を示す第２の説明図
【図６】本発明の実施の形態におけるストリーム情報管理部の録画開始時における処理を示すフロー図
【図７】本発明の実施の形態におけるストリーム情報検出部の録画開始時における処理を示すフロー図
【図８】本発明の実施の形態におけるストリーム情報検出部の録画終了時における処理を示すフロー図
【図９】本発明の実施の形態における映像フィルタリング部の処理を示すフロー図
【図１０】従来の映像記録再生装置の構成を示す機能ブロック図
【図１１】従来の映像記録再生装置における記録開始ポイントとビデオＥＳの関係を示す説明図
【図１２】従来の映像記録再生装置における記録終了ポイントとビデオＥＳの関係を示す説明図
【符号の説明】
【００５２】
１，１１    ユーザＩ／Ｆ処理部
２，１２    ストリーム情報管理部
３，１３    ストリーム情報記録部
４，１４    デジタルチューナー部
５，１５    デコード部
６，１６    選局部
７，１７    ストリームパーシャル化部
８，１８    ストリーム情報検出部
９，１９    ストリーム記録部
１０    映像フィルタリング部
【図１】
2006121565.tif 000003
【図２】
2006121565.tif 000004
【図３】
2006121565.tif 000005
【図４】
2006121565.tif 000006
【図５】
2006121565.tif 000007
【図６】
2006121565.tif 000008
【図７】
2006121565.tif 000009
【図８】
2006121565.tif 000010
【図９】
2006121565.tif 000011
【図１０】
2006121565.tif 000012
【図１１】
2006121565.tif 000013
【図１２】
2006121565.tif 000014